(57)【要約】【課題】着用時の違和感を抑制しつつ、会陰部に対するフィット性を向上させ、体液の漏れを抑制できる吸収性物品を提供する。【解決手段】吸収性物品１の吸収体３０の幅方向の中央には、股下域の長手方向の中心に位置する高目付領域３１と、高目付領域よりも後方に位置し、かつ高目付領域よりも吸収材料の目付が低い低目付領域３２と、が設けられている。低目付領域の前端縁と、ウイングの長手方向の中心と、の長手方向の距離Ｌ１１は、４０ｍｍ以上６０ｍｍ以下である。吸収体には、長手方向に延び、かつ互いに非平行に配置された複数の長手圧搾部８１が形成されている。複数の長手圧搾部によって挟まれた長手圧搾領域Ｒ８１は、低目付領域よりも高い剛性を有し、低目付領域の幅方向の両外側にそれぞれ配置されている。【選択図】図１
2017213213.tif 000002
【特許請求の範囲】
【請求項１】
互いに直交する長手方向及び幅方向と、
着用者の股下に配置される股下域と前記股下域の後側に位置する後側域とに配置されている吸収体と、
前記股下域の前記吸収体よりも前記幅方向の外側に延出するウイングと、を有し、
前記吸収体の前記幅方向の中央には、前記股下域の前記長手方向の中心に配置された高目付領域と、前記高目付領域よりも後方に配置され、かつ前記高目付領域よりも吸収材料の目付が低い低目付領域と、が設けられており、
前記低目付領域の前端縁と、前記ウイングの前記長手方向の中心と、の前記長手方向の距離は、４０ｍｍ以上６０ｍｍ以下である吸収性物品であって、
前記吸収体には、圧搾部が形成されており、
前記圧搾部は、前記長手方向に延び、かつ互いに非平行に配置された複数の長手圧搾部を有し、
前記複数の前記長手圧搾部によって挟まれた長手圧搾領域は、前記低目付領域よりも高い剛性を有し、前記低目付領域の前記幅方向の両外側にそれぞれ配置されている、吸収性物品。
【請求項２】
前記長手圧搾部は、前記高目付領域の前記幅方向の外側に位置する第１側部領域と、前記低目付領域の前記幅方向の外側に位置する第２側部領域と、を跨いで配置されている、請求項１に記載の吸収性物品。
【請求項３】
前記長手圧搾領域の前記幅方向の長さは、後方に向かうにつれて長くなる、請求項１又は請求項２に記載の吸収性物品。
【請求項４】
前記圧搾部は、前記長手圧搾部の後側において前記長手方向に延び、かつ互いに非平行に配置された複数の後側圧搾部を有し、
前記複数の前記後側圧搾部によって挟まれた後側圧搾領域は、前記低目付領域の剛性よりも高く、前記低目付領域の前記幅方向の両外側にそれぞれ配置され、
前記後側圧搾領域間の距離は、前記長手圧搾領域間の距離よりも短い、請求項１から請求項３のいずれかに記載の吸収性物品。
【請求項５】
前記圧搾部は、非連続的に配置された複数の点状圧搾部を有し、
前記点状圧搾部は、前記長手圧搾領域に設けられる、請求項１から請求項４のいずれかに記載の吸収性物品。
【請求項６】
前記圧搾部は、非連続的に配置された複数の点状圧搾部を有し、
前記点状圧搾部は、前記長手圧搾領域及び前記後側圧搾領域に設けられる、請求項４に記載の吸収性物品。
【請求項７】
前記高目付領域の前記幅方向の長さは、前記低目付領域の前記幅方向の長さよりも長い、請求項１から請求項６のいずれかに記載の吸収性物品。
【請求項８】
前記幅方向に延び、前記吸収性物品を折り畳むための折り線を有し、
前記折り線は、前記長手圧搾領域と離間している、請求項１から請求項７のいずれかに記載の吸収性物品。
【請求項９】
前記低目付領域における吸収材料の目付は、前記低目付領域よりも前記幅方向の外側に位置する前記吸収体の吸収材料の目付よりも１００ｇ／ｍ２以上低い、請求項１から請求項８のいずれかに記載の吸収性物品。
【請求項１０】
前記低目付領域の前記幅方向の中心は、前記吸収性物品を下着に装着するための接合部と重ならない領域に配置されている、請求項１から請求項９のいずれかに記載の吸収性物品。
【発明の詳細な説明】
【技術分野】
【０００１】
本発明は、生理用ナプキン等の吸収性物品に関する。
【背景技術】
【０００２】
特許文献１には、股下域の吸収体の厚みが後側域の吸収体の厚みよりも厚い吸収性物品が開示されている。後側域の吸収体には、吸収材料が配置されていない吸収体欠損部が設けられている。吸収体欠損部が設けられた後側域は、着用者の臀部の丸みに沿って配置されるように構成されている。また、股下域は、着用者の排血口（膣口）に対向して配置されるように構成されている。
【先行技術文献】
【特許文献】
【０００３】
【特許文献１】特許第５６２３８２８号公報
【発明の概要】
【発明が解決しようとする課題】
【０００４】
着用者の排血口の後方には、会陰部が位置しており、当該会陰部は、排血口よりも隆起する形状である。特許文献１の股下域の吸収体は、その厚みが厚く、その剛性が高いため、股下域の吸収体と会陰部とが当たることにより、着用者に違和感が生じることがある。また、股下域の吸収体と会陰部とが当たることにより、吸収体が身体から離れるように変形し、会陰部に対するフィット性が低下することがある。会陰部に対するフィット性が低下することにより、体液が後方に伝い、漏れが発生することがある。
【０００５】
本発明は、上述の課題に鑑みてなされたものであり、着用時の違和感を抑制しつつ、会陰部に対するフィット性を向上させ、体液の漏れを抑制できる吸収性物品を提供することを目的とする。
【課題を解決するための手段】
【０００６】
本開示に係る吸収性物品（吸収性物品１）は、互いに直交する長手方向（長手方向Ｌ）及び幅方向（幅方向Ｗ）と、着用者の股下に配置される股下域（股下域Ｓ１）と前記股下域の後側に位置する後側域（後側域Ｓ３）とに配置されている吸収体（吸収体３０）と、前記股下域の前記吸収体よりも幅方向の外側に延出するウイング（ウイング３）と、を有し、前記吸収体の前記幅方向の中央には、前記股下域の前記長手方向の中心に位置する高目付領域（高目付領域３１）と、前記高目付領域よりも後方に位置し、かつ前記高目付領域よりも吸収材料の目付が低い低目付領域（低目付領域３２）と、が設けられており、前記低目付領域の前端縁と、前記ウイングの前記長手方向の中心と、の長手方向の距離（Ｌ１１）は、４０ｍｍ以上６０ｍｍ以下である吸収性物品であって、前記吸収体には、圧搾部（圧搾部８０）が形成されており、前記圧搾部は、前記長手方向に延び、かつ互いに非平行に配置された複数の長手圧搾部（長手圧搾部８１）を有し、前記複数の前記長手圧搾部によって挟まれた長手圧搾領域（長手圧搾領域Ｒ８１）は、前記低目付領域よりも高い剛性を有し、前記低目付領域の前記幅方向の両外側にそれぞれ配置されていることを要旨とする。
【発明の効果】
【０００７】
本発明に係る吸収性物品によれば、着用時の違和感を抑制しつつ、会陰部に対するフィット性を向上させ、体液の漏れを抑制できる。
【図面の簡単な説明】
【０００８】
【図１】一実施形態における吸収性物品の平面図である。
【図２】図１に吸収性物品の背面図である。
【図３】図１に示すＡ−Ａ線に沿った吸収性物品の断面図である。
【図４】図１に示すＢ−Ｂ線に沿った吸収性物品の断面図である。
【図５】図１に示すＣ−Ｃ線に沿った吸収性物品の断面図である。
【図６】吸収体の平面図である。
【図７】図１のＢ−Ｂ線を基準とした着用状態の吸収性物品の断面図である。
【図８】図１のＣ−Ｃ線を基準とした着用状態の吸収性物品の断面図である。
【図９】着用者が横向きで寝た状態の吸収性物品の変形を模式的に示した図である。
【発明を実施するための形態】
【０００９】
本明細書及び添付図面の記載により、少なくとも以下の事項が明らかとなる。
互いに直交する長手方向及び幅方向と、
着用者の股下に配置される股下域と前記股下域の後側に位置する後側域とに配置されている吸収体と、
前記股下域の前記吸収体よりも幅方向の外側に延出するウイングと、を有し、
前記吸収体の前記幅方向の中央には、前記股下域の前記長手方向の中心に配置された高目付領域と、前記高目付領域よりも後方に配置され、かつ前記高目付領域よりも吸収材料の目付が低い低目付領域と、が設けられており、
前記低目付領域の前端縁と、前記ウイングの前記長手方向の中心と、の長手方向の距離は、４０ｍｍ以上６０ｍｍ以下である吸収性物品であって、
前記吸収体には、圧搾部が形成されており、
前記圧搾部は、前記長手方向に延び、かつ互いに非平行に配置された複数の長手圧搾部を有し、
前記複数の前記長手圧搾部によって挟まれた長手圧搾領域は、前記低目付領域よりも高い剛性を有し、前記低目付領域の前記幅方向の両外側にそれぞれ配置されている、吸収性物品。
【００１０】
ウイングの長手方向の中心から４０ｍｍ以上６０ｍｍ以下後方に向かった部分は、着用時に着用者の会陰部に対向して配置される。ウイングの長手方向の中心から４０ｍｍ以上６０ｍｍ以下後方に向かった部分に低目付領域が配置されている。低目付領域は、股下域の吸収体の長手方向の中心に位置する高目付領域よりも吸収材料の目付が低く、高目付領域よりも剛性が低い。低目付領域が着用者の会陰部に当たった際に容易に変形することにより、着用者に違和感が生じることを抑制できる。また、低目付領域は、高目付領域よりも吸収材料の目付が低く、その厚みが薄い。そのため、低目付領域が着用者の会陰部に当たった際に、低目付領域が会陰部に沿って配置され、吸収体が身体から離れるように変形し難い。よって、会陰部に対するフィット性を向上できる。
【００１１】
また、低目付領域の幅方向の両外側には、長手圧搾領域が配置されている。長手圧搾領域を挟んで配置される複数の長手圧搾部が非平行であるため、長手圧搾領域は、面形状となり、低目付領域の変形の基点となり易い。着用時に吸収性物品には、幅方向の外側から幅方向の内側に向かう力がかかる。当該幅方向の外側から幅方向の内側に向かう力がかかった際に、低目付領域は、長手圧搾領域よりも剛性が低く、長手圧搾領域に対して着用者側に隆起する。低目付領域が着用者側に隆起することにより、会陰部と吸収性物品との隙間が生じ難くなり、会陰部に対するフィット性が向上し、体液の漏れを抑制できる。
【００１２】
かかる吸収性物品であって、
前記長手圧搾部は、前記高目付領域の前記幅方向の外側に位置する第１側部領域と、前記低目付領域の前記幅方向の外側に位置する第２側部領域と、を跨いで配置されていることが望ましい。
【００１３】
着用者の脚による幅方向の外側から幅方向の内側に向かう力は、後側域よりも股下域に強くかかる。長手圧搾部が第１側部領域と第２側部領域とを跨がっているため、幅方向の外側から幅方向の内側に向かう力を後側域に伝達し易くなり、低目付領域が会陰部に対してより隆起しやすくなる。よって、会陰部に対するフィット性がより向上し、体液の漏れを抑制できる。
【００１４】
かかる吸収性物品であって、
前記長手圧搾領域の前記幅方向の長さは、後方に向かうにつれて長くなることが望ましい。
【００１５】
このような吸収性物品において、着用時に幅方向の内側に向かう力は、股下域に対して強く掛かり、股下域から後方に向かうにつれて弱くなる。そのため、長手圧搾領域内の前側部分と後側部分を比較すると、後側部分には、幅方向の内側に向かう力が掛かり難い。長手圧搾領域の幅方向の長さが後方に向かうにつれて長いため、長手圧搾領域の後側部分は、面形状を維持し易く、低目付領域に対する変形の起点となり易い。そのため、長手圧搾領域の後側部分間の低目付領域は、弱い力によっても隆起し易くなる。よって、会陰部に対するフィット性がより向上し、体液の漏れを抑制できる。
【００１６】
かかる吸収性物品であって、
前記圧搾部は、前記長手圧搾部の後側において前記長手方向に延び、かつ互いに非平行に配置された複数の後側圧搾部を有し、
前記複数の前記後側圧搾部によって挟まれた後側圧搾領域は、前記低目付領域の剛性よりも高く、前記低目付領域の前記幅方向の両外側にそれぞれ配置され、
前記後側圧搾領域間の距離は、前記長手圧搾領域間の距離よりも短いことが望ましい。
【００１７】
着用時において吸収性物品に係る幅方向の内側に向かう力は、股下域に対して強く掛かり、股下域から後方に向かうに連れて弱くなる。後側圧搾領域間の距離が長手圧搾領域間の距離よりも短いため、後側圧搾領域間の低目付領域は、弱い力によっても隆起し易くなる。また、後側圧搾領域間の低目付領域は、会陰部よりも後方の臀部間の窪みに対向して配置される。後側圧搾領域間の低目付領域が隆起することにより、会陰部から後方にかけてのフィット性が高まり、体液の後方への伝い漏れをより抑制できる。
【００１８】
かかる吸収性物品であって、
前記圧搾部は、非連続的に配置された複数の点状圧搾部を有し、
前記点状圧搾部は、前記長手圧搾領域に設けられることが望ましい。
【００１９】
このような吸収性物品によれば、点状圧搾部によって長手圧搾領域の剛性が高くなる。長手圧搾領域と低目付領域の剛性差がより大きくなり、低目付領域が長手圧搾領域を基点により隆起し易くなる。よって、会陰部に対するフィット性がより向上し、体液の漏れを抑制できる。
【００２０】
かかる吸収性物品であって、
前記圧搾部は、非連続的に配置された複数の点状圧搾部を有し、
前記点状圧搾部は、前記長手圧搾領域及び前記後側圧搾領域に設けられることが望ましい。
【００２１】
このような吸収性物品によれば、点状圧搾部によって長手圧搾領域及び後側圧搾領域の剛性が高くなる。低目付領域が長手圧搾領域及び後側圧搾領域を基点により隆起し易くなり、会陰部から臀部間の窪みにかけてのフィット性がより向上し、体液の漏れを抑制できる。
【００２２】
かかる吸収性物品であって、
前記高目付領域の前記幅方向の長さは、前記低目付領域の前記幅方向の長さよりも長いことが望ましい。
【００２３】
このような吸収性物品によれば、股下域の中央に位置する高目付領域の幅方向の長さが低目付領域の前記幅方向の長さよりも長いため、高目付領域において広い幅で体液を吸収できる。一方、低目付領域の幅方向の長さが高目付領域の幅方向の長さよりも短く、着用者側に隆起する領域は、狭い幅となり、着用者の会陰部にフィットし易くなる。
【００２４】
かかる吸収性物品であって、
前記幅方向に延び、前記吸収性物品を折り畳むための折り線を有し、
前記折り線は、前記長手圧搾領域と離間していることが望ましい。
【００２５】
このような吸収性物品によれば、長手圧搾領域と折り線とが離間しているため、長手圧搾領域に折り線による折り癖が形成されない。長手圧搾部の形状を維持し、長手圧搾部を基点に低目付領域が隆起し易くなる。
【００２６】
かかる吸収性物品であって、
前記低目付領域における吸収材料の目付は、前記低目付領域よりも幅方向の外側に位置する吸収体の吸収材料の目付よりも１００ｇ／ｍ２以上低いことが望ましい。
【００２７】
低目付領域における吸収材料の目付と低目付領域よりも幅方向の外側に位置する吸収体の吸収材料の目付との差が１００ｇ／ｍ２であることにより、低目付領域と低目付領域よりも幅方向の外側に位置する吸収体の剛性差が顕著になり、低目付領域が隆起し易くなる。
【００２８】
かかる吸収性物品であって、
前記低目付領域の前記幅方向の中心は、前記吸収性物品を下着に装着するための接合部と重ならない領域に配置されていることが望ましい。
【００２９】
低目付領域の幅方向の中心は、着用時に会陰部の幅方向の中心に対向して配置される。低目付領域の前記幅方向の中心は、接合部と重ならない領域に配置されているため、下着に固定される領域とずれ、着用者側に隆起し易くなる。よって、着用者と吸収性物品の隙間が少なくなり、漏れをより低減できる。
【００３０】
＝＝＝本実施の形態に係る吸収性物品について＝＝＝
以下、図面を参照して、実施形態に係る吸収性物品ついて説明する。以下の実施形態では、吸収性物品の一例として使い捨ての生理用ナプキンについて説明する。
【００３１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３２】
（１）吸収性物品の全体概略構成
図１は、一実施形態における吸収性物品の平面図である。図２は、図１に吸収性物品の背面図である。図３は、図１に示すＡ−Ａ線に沿った吸収性物品の断面図である。図４は、図１に示すＢ−Ｂ線に沿った吸収性物品の断面図である。図５は、図１に示すＣ−Ｃ線に沿った吸収性物品の断面図である。
【００３３】
吸収性物品１は、互いに直交する長手方向Ｌと幅方向Ｗを有し、かつ着用者の肌対向面側Ｔ１から非肌対向面側Ｔ２へ延びる厚み方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３４】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後方に位置する。後側域Ｓ３の後端縁は吸収性物品１の後端縁を規定する。
【００３５】
吸収性物品１は、ウイング３及びヒップフラップ４を有する。ウイング３及びヒップフラップ４は、股下域Ｓ１における吸収体３０の外側縁よりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。股下域Ｓ１の長手方向Ｌの中心は、ウイングの長手方向の中心３ＣＬと一致する。ヒップフラップ４は、後側域Ｓ３に設けられている。
【００３６】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００３７】
吸収体３０は、少なくとも股下域Ｓ１と後側域Ｓ３に配置されている。吸収体３０は、液体を吸収する吸収材料からなる吸収コア（図示せず）と、吸収コアを包むコアラップ（図示せず）と、を有する。吸収体３０の構成については、後述にて詳細に説明する。
【００３８】
肌面シート１０は、表面シート１１及びサイドシート１２を有する。表面シート１１は、体液等の液体を透過する液透過性のシートである。サイドシート１２は、幅方向Ｗにおける表面シート１１の外側縁を覆い、表面シート１１よりも幅方向Ｗの外側へ延びている。非肌面シート２０は、液不透過性のシートである。
【００３９】
図２に示すように、非肌面シート２０の非肌対向面には、吸収性物品１を下着に接合するための接合部６０が設けられている。接合部６０は、吸収体３０と重なる領域に配置された一対の本体接合部６１と、ウイング３に配置された一対のウイング接合部６２と、ヒップフラップ４に配置された一対のフラップ接合部６３と、を有する。一対の本体接合部６１は、吸収体の幅方向の中心と重ならないように配置されている。一対の本体接合部６１は、幅方向Ｗに離間しており、吸収体の幅方向の中心に対して幅方向の両外側に配置されている。本体接合部６１間の幅方向の距離は、１０~２０ｍｍである。接合部６０は、使用前の状態において剥離シート（図示せず）又は吸収性物品を個別に包装する包装シート（図示せず）によって覆われている。
【００４０】
（２）吸収体の詳細構成
次に、吸収体３０の構成についてより具体的に説明する。吸収体３０は、吸収材料の目付が異なる複数の領域を有する。図６は、吸収体の平面図であり、目付が異なる複数の領域に異なる斜線を付している。なお、図６においては、吸収体の後述する圧搾部を省略している。吸収体３０は、高目付領域３１と、低目付領域３２と、第１側部領域３３と、第２側部領域３４と、前側領域３５と、を有する。高目付領域３１及び低目付領域３２は、吸収体３０の幅方向Ｗの中央に設けられている。高目付領域３１は、ウイングの長手方向Ｌの中心３ＣＬに配置されており、着用時に排泄口（膣口）に対向して配置される。高目付領域３１の前端縁３１Ｆ及び後端縁３１Ｒは、股下域Ｓ１に位置する。高目付領域３１の目付は、少なくとも低目付領域３２よりも高い。高目付領域３１の目付は、周囲の領域（低目付領域３２、第１側部領域３３及び前側領域３５）の目付よりも１５０ｇ／ｍ２以上高い。このような構成によれば、高目付領域３１は、周囲の領域よりも厚くなり、着用者の膣口に対してフィットし易い。
【００４１】
低目付領域３２は、高目付領域３１の後側に配置されている。低目付領域３２は、高目付領域３１に隣接している。低目付領域３２の目付は、少なくとも高目付領域３１の目付よりも低い。低目付領域３２の目付は、周囲の領域（高目付領域３１及び第２側部領域３４）の目付よりも１００ｇ／ｍ２以上低い。このような構成によれば、低目付領域３２と周囲の領域との剛性差が顕著になり、着用時に容易に変形して、低目付領域３２が隆起し易くなる。
【００４２】
低目付領域３２の前端縁３２Ｆは、股下域Ｓ１に位置し、低目付領域３２の後端縁３２Ｒは、後側域Ｓ３に位置する。低目付領域３２の前端縁３２Ｆと、ウイング３の長手方向の中心３ＣＬと、の長手方向の距離Ｌ１１（図１参照）は、４０ｍｍ以上６０ｍｍ以下である。ウイングの長手方向の中心３ＣＬから４０ｍｍ以上６０ｍｍ以下後方に向かった部分は、着用者の会陰部に対向して配置される。ウイングの長手方向の中心から４０ｍｍ以上６０ｍｍ以下後方に向かった部分に低目付領域３２が配置されている。低目付領域３２は、高目付領域３１よりも吸収材料の目付が低く、高目付領域３１よりも剛性が低い。低目付領域３２は、着用者の会陰部に当たった際に容易に変形し、着用者に違和感が生じることを抑制できる。また、低目付領域３２は、高目付領域３１よりも吸収材料の目付が低く、その厚みが薄い。そのため、低目付領域３２が着用者の会陰部に当たった際に、低目付領域３２が会陰部に沿って配置され、吸収体３０が身体から離れるように変形し難い。よって、会陰部に対するフィット性を向上できる。
【００４３】
低目付領域３２の幅方向の中心は、吸収性物品を下着に装着するための接合部６０と重ならない領域に配置されている。より詳細には、低目付領域３２の幅方向の中心は、本体接合部６１間の領域に重なる。低目付領域３２の幅方向の中心は、着用時に会陰部の幅方向の中心に対向して配置される。低目付領域３２の幅方向の中心は、下着に固定される接合部とずれているため、着用者側に隆起し易くなる。よって、着用者と吸収性物品の隙間が少なくなり、漏れをより低減できる。
【００４４】
高目付領域３１の幅方向の長さは、低目付領域３２の幅方向の長さよりも長い。高目付領域３１の幅方向の最大長さが低目付領域３２の幅方向の最大長さよりも長く構成されている。股下域Ｓ１の中央に位置する高目付領域３１の幅方向の長さが低目付領域３２の幅方向の長さよりも長いため、高目付領域３１において広い幅で体液を吸収できる。一方、低目付領域３２の幅方向の長さが高目付領域３１の幅方向の長さよりも短いため、着用者側に隆起する領域が狭い幅となり、着用者の会陰部にフィットし易くなる。
【００４５】
一対の第１側部領域３３は、高目付領域３１の幅方向の両外側に位置し、高目付領域３１の外側縁から吸収体３０の外側縁まで延びる領域である。第１側部領域３３の目付は、低目付領域３２、前側領域３５及び第２側部領域３４の目付よりも高い。一対の第２側部領域３４は、低目付領域３２の幅方向の両外側に位置し、低目付領域３２の外側縁から吸収体の外側縁まで延びる領域である。第２側部領域３４の目付は、低目付領域３２の目付よりも高く、前側領域３５の目付と同じであり、高目付領域３１及び第２側部領域３４の目付よりも低い。本実施の形態の第２側部領域３４は、低目付領域３２の後側にも配置されている。前側領域３５は、高目付領域３１の前側及び第１側部領域３３の前側に位置する。
【００４６】
図１に示すように、吸収体３０には、圧搾部８０が形成されている。圧搾部８０は、少なくとも吸収体３０を厚み方向Ｔに圧搾することによって形成されている。圧搾部は、長手圧搾部８１と、後側圧搾部８２と、点状圧搾部８３と、を有する。
【００４７】
長手圧搾部８１は、長手方向Ｌに延びており、各第１側部領域３３において複数設けられている。長手圧搾部８１は、互いに非平行に配置された第１長手圧搾部８１１と、第２長手圧搾部８１２と、を有する。第１長手圧搾部８１１と第２長手圧搾部８１２は、互いに非平行に配置された部分を有していればよい。本実施の形態において第１長手圧搾部８１１と第２長手圧搾部８１２が非平行とは、第１長手圧搾部８１１と第２長手圧搾部８１２の幅方向の距離が変化していることである。
【００４８】
第１長手圧搾部８１１は、低目付領域３２側に位置し、第２長手圧搾部８１２は、第１長手圧搾部８１１よりも幅方向の外側に位置する。第１長手圧搾部８１１は、幅方向の内側に膨らんだ部分が長手方向に並んでいる。第２長手圧搾部８１２は、幅方向の外側に膨らんだ部分を有する。第１長手圧搾部８１１の前端縁と第２長手圧搾部８１２の前端縁は、連なっており、第１長手圧搾部８１１の後端縁と第２長手圧搾部８１２の後端縁は、連なっている。長手圧搾領域Ｒ８１は、第１長手圧搾部８１１と第２長手圧搾部８１２によって挟まれた領域である。長手圧搾領域Ｒ８１の剛性は、低目付領域３２の剛性よりも高い。
【００４９】
長手圧搾領域Ｒ８１は、低目付領域３２の幅方向の両外側にそれぞれ配置されている。長手圧搾領域Ｒ８１を挟んで配置されている。第１長手圧搾部８１１と第２長手圧搾部８１２が非平行に配置されているため、長手圧搾領域Ｒ８１は、面形状となり易く、低目付領域の変形の基点となり易い。図７は、着用状態のＢ−Ｂ線に沿った断面図である。着用時に吸収性物品には、幅方向の外側から幅方向の内側に向かう力がかかる。当該幅方向の内側に向かう力は、股下域の長手圧搾領域Ｒ８１に掛かり、当該長手圧搾領域Ｒ８１を介して低目付領域３２に掛かる。低目付領域３２は、当該幅方向の外側から幅方向の内側に向かう力が掛かると、面形状の長手圧搾領域Ｒ８１を基点として着用者側に隆起する。低目付領域３２が着用者側に隆起することにより、会陰部と吸収性物品との隙間が生じ難くなり、会陰部に対するフィット性が向上し、体液の漏れを抑制できる。
【００５０】
長手圧搾部８１は、第１側部領域３３と、第２側部領域３４と、を跨いで配置されている。長手圧搾部８１を構成する第１長手圧搾部８１１と第２長手圧搾部８１２のうち少なくともいずれかが第１側部領域３３に延びていればよい。着用者の脚によって幅方向の外側から幅方向の内側に向かう力は、後側域Ｓ３よりも股下域Ｓ１に強くかかる。長手圧搾部８１が第１側部領域３３と第２側部領域３４とに跨がっていることにより、幅方向の外側から幅方向の内側に向かう力が後側域Ｓ３に伝達し易くなり、低目付領域３２が会陰部に対してより隆起しやすくなる。よって、会陰部に対するフィット性がより向上し、体液の漏れを抑制できる。
【００５１】
長手圧搾領域Ｒ８１の幅方向の長さは、後方に向かうにつれて長くなる。長手圧搾領域Ｒ８１の幅方向の長さは、変化しており、長手圧搾領域Ｒ８１の少なくとも一部において、幅方向の長さが後方に向かうにつれて長く構成されていればよい。着用時に吸収性物品に係る幅方向の内側に向かう力は、股下域Ｓ１に対して強く掛かり、股下域Ｓ１から後方に向かうにつれて弱くなる。そのため、長手圧搾領域Ｒ８１の前側部分と後側部分を比較すると、後側部分には、幅方向の内側に向かう力が掛かり難い。長手圧搾領域Ｒ８１の幅方向の長さが後方に向かうにつれて長いことにより、長手圧搾領域Ｒ８１の後側部分は、低目付領域３２に対して変形の起点となり易く、長手圧搾領域Ｒ８１の後側部分間の低目付領域３２は、弱い力によっても隆起し易くなる。よって、会陰部に対するフィット性がより向上し、体液の漏れを抑制できる。
【００５２】
後側圧搾部８２は、長手圧搾部の後側において長手方向Ｌに延びる。後側圧搾部８２は、各第２側部領域において複数設けられている。後側圧搾部８２は、互いに非平行に配置された第１後側圧搾部８２１と第２後側圧搾部８２２とを有する。第１後側圧搾部８２１と第２後側圧搾部８２２は、互いに非平行に配置された部分を有していればよい。
【００５３】
第１後側圧搾部８２１は、低目付領域３２側に位置し、第２後側圧搾部８２２は、第１後側圧搾部８２１よりも幅方向の外側に位置する。第１後側圧搾部は、幅方向の内側に膨らんだ部分を有する。第２後側圧搾部８２２は、幅方向の外側に膨らんだ部分が長手方向に並んでいる。第１後側圧搾部８２１の前端縁と第２後側圧搾部の８２２前端縁は、連なっており、第１後側圧搾部８２１の後端縁と第２後側圧搾部８２２の後端縁は、連なっている。後側圧搾領域Ｒ８２は、第１後側圧搾部８２１と第２後側圧搾部８２２によって挟まれた領域である。後側圧搾領域Ｒ８２の剛性は、低目付領域３２の剛性よりも高い。
【００５４】
後側圧搾領域Ｒ８２は、低目付領域３２の幅方向の両外側にそれぞれ配置されている。第１後側圧搾部８２１と第２後側圧搾部８２２が非平行に配置されているため、後側圧搾領域Ｒ８２は、面形状となり易く、低目付領域の変形の基点となり易い。図８は、着用状態のＣ−Ｃ線に沿った断面図である。低目付領域３２は、着用時に幅方向の内側に向かう力が吸収性物品に掛かると、後側圧搾領域Ｒ８２よりも剛性が低く、面形状の後側圧搾領域を基点として着用者側に隆起する。低目付領域３２が長手圧搾領域Ｒ８１及び後側圧搾領域Ｒ８２を基点として着用者側に隆起することにより、会陰部及び会陰部よりも後方の臀部間の窪みに吸収性物品がフィットし、体液の漏れを抑制できる。
【００５５】
後側圧搾部８２の内側縁は、長手圧搾部８１の内側縁よりも幅方向の内側に位置する。後側圧搾領域Ｒ８２間の距離Ｗ８２は、長手圧搾領域Ｒ８１間の距離Ｗ８１よりも短い。後側圧搾領域間における最も短い距離が、長手圧搾領域Ｒ８１間における最も短い距離よりも短く構成されていればよい。着用時に吸収性物品に掛かる幅方向の内側に向かう力は、股下域に対して強く掛かり、股下域から後方に向かうに連れて弱くなる。後側圧搾領域Ｒ８２間の距離Ｗ８２が長手圧搾領域Ｒ８１間の距離Ｗ８１よりも短いため、後側圧搾領域Ｒ８２は、長手圧搾領域Ｒ８１よりも弱い力がかかるが、当該弱い力によって隆起し易くなる。後側圧搾領域Ｒ８２間の低目付領域３２は、会陰部よりも後方の臀部間の窪みに対向して配置される。よって、低目付領域３２が隆起することにより、会陰部から後方にかけてのフィット性が高まり、体液の後方への伝い漏れをより抑制できる。
【００５６】
また、長手圧搾領域Ｒ８１間の距離Ｗ８１は、吸収体３０の幅方向の全長に対する２５％以上であることが好ましい。このような構成によれば、長手圧搾領域Ｒ８１間の領域を着用者側に向けて隆起させて、長手圧搾領域Ｒ８１間の領域が身体の隙間にフィットし易くなる。
【００５７】
また、後側圧搾領域Ｒ８２間の低目付領域３２は、第１後側圧搾部を起点に隆起し、長手圧搾領域Ｒ８１間の低目付領域３２は、第１長手圧搾部を起点に隆起する。第１後側圧搾部は、第１長手圧搾部よりも幅方向の内側に位置するため、後側圧搾領域Ｒ８２間において着用者側に隆起する領域の幅方向の長さは、長手圧搾領域Ｒ８１間において着用者側に隆起する領域の幅方向の長さよりも短い。上述のように、後側圧搾領域Ｒ８２間の領域は、弱い力でも隆起し易いため、長手圧搾領域Ｒ８１間の領域よりも鋭い角度で隆起し、臀部間の隙間にフィットする。
【００５８】
点状圧搾部８３は、非連続的に複数配置されている。点状圧搾部８３は、長手方向及び幅方向において間隔を空けて配置されている。点状圧搾部８３が間隔を空けて配置されているため、点状圧搾部８３が配置された領域が身体の変形に応じて柔軟に変形し易くなる。点状圧搾部８３は、長手圧搾領域Ｒ８１に設けられている。点状圧搾部８３によって長手圧搾領域Ｒ８１の剛性が高くなる。長手圧搾領域Ｒ８１と低目付領域３２の剛性差がより大きくなり、低目付領域３２が長手圧搾領域Ｒ８１を基点により隆起し易くなる。よって、会陰部に対するフィット性がより向上し、体液の漏れを抑制できる。
【００５９】
点状圧搾部８３は、後側圧搾領域Ｒ８２に設けられている。点状圧搾部８３によって長手圧搾領域Ｒ８１及び後側圧搾領域Ｒ８２の剛性が高くなる。低目付領域３２が長手圧搾領域Ｒ８１及び後側圧搾領域Ｒ８２を基点により隆起し易くなり、会陰部から臀部間の窪みにかけてのフィット性がより向上し、体液の漏れを抑制できる。なお、点状圧搾部８３は、長手圧搾領域Ｒ８１及び後側圧搾領域Ｒ８２の剛性を高める観点から、長手圧搾領域Ｒ８１の少なくとも一部及び後側圧搾領域Ｒ８２の少なくとも一部に設けられていればよい。
【００６０】
本明細書における「吸収体の厚さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
測定位置は、吸収体の製品幅方向中央部とする。測定する際は、吸収性物品が縮んだ状態ではなく、吸収性物品の伸縮性部材を伸張させた状態として測定する。また、吸収体以外の肌面シート及び非肌面シート等、吸収体以外の部分を取り除く。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００６１】
また、本明細書における「吸収体の目付」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
包装体によって包装された吸収性物品においては包装体を開封し、折り畳まれた吸収性物品を展開して、目付を測定する部分の厚み及び面積を測定する。次いで、目付を測定する部分を吸収性物品から切り出し、切り出した部分の重量を測定する。次いで、切り出した部分から肌面シート及び非肌面シート等、吸収体以外の部分を取り除き、吸収体の重量を測定する。吸収体の重量と、目付を測定する部分の面積とに基づいて目付を算出する。
【００６２】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００６３】
本明細書における「剛性」は、幅方向に沿う力に対する変形し難さを指標するものであり、剛性が高いほど、曲がり難い。剛性は、吸収体を構成する吸収材料の目付に応じており、目付が高いほど、剛性が高くなる。よって、吸収体の目付を目視等で確認することにより、剛性を確認することができる。また、剛性は、ＪＩＳ  Ｌ  １０９６の測定方法に準拠したガーレー剛性値によって測定することもできる。
【００６４】
（３）着用時の変形態様
次いで、着用時の吸収性物品の変形態様について詳細に説明する。上述のように、着用時に吸収性物品は、着用者の両足によって挟まれ、幅方向の外側から幅方向の内側に向かう力がかかる。当該幅方向の外側から幅方向の内側に向かう力がかかることにより、吸収性物品の低目付領域３２は、長手圧搾領域Ｒ８１及び後側圧搾領域Ｒ８２を起点に着用者側に隆起し、会陰部及び臀部間の隙間に対してフィットする。
【００６５】
また、着用時に着用者の姿勢は変化し、吸収性物品には、幅方向の内側に向かう力以外の力がかかる。吸収性物品を着用した着用者が仰向けに寝た状態では、着用者の臀部が潰れるように変形し、吸収性物品は、後側域から股下域に向かって圧縮される。着用者が仰向けに寝た状態において、着用者の臀部が潰れるような変形を低目付領域３２によって吸収し、吸収性物品が意図しない態様で変形することを抑制し、着用者の会陰部と吸収性物品との隙間が生じることを抑制できる。
【００６６】
着用者がうつ伏せに寝た状態では、吸収性物品は、股下域側から後側域側に押圧され、会陰部に対して密着する。着用者がうつ伏せに寝た状態において、会陰部に当たる低目付領域３２が身体に沿って柔軟に変形し、フィット性を維持できる。
【００６７】
図９は、着用者が横向きで寝た状態の吸収性物品の変形を模式的に示した図である。図９は、着用者の脚Ｐと下着Ｓに対する低目付領域３２の位置及び変形態様を模式的に示している。図９（ａ）は、横向きに寝た着用者の両脚Ｐが上下に重なっており、前後にずれていない状態であり、図９（ｂ）は、着用者の両脚Ｐが、前後にずれた状態である。図９（ａ）に示すように、着用者の両脚が前後にずれていない状態では、吸収性物品の股下域には、幅方向の内側に向かう力がかかる。しかし、着用者が横向きに寝た状態では、両脚Ｐが前後にずれていることが多い。一般的には、上側に位置する脚が腹側に位置し、下側に位置する脚が背側に位置する。前後にずれて配置された脚によって吸収性物品が挟まれると、吸収性物品には、幅方向に対して平行な力ではなく、捻じれる方向の力がかかる。この捻じれる力は、まず高目付領域３１及び長手圧搾部８１に掛かり、高目付領域３１及び長手圧搾部８１を介して低目付領域３２に掛かる。より詳細には、上側に位置する脚によって高目付領域３１及び長手圧搾部８１が押圧される。低目付領域３２は、高目付領域３１の後方に位置し、低目付領域３２の前端縁は、高目付領域３１等を介して強く押圧され、大きく変形し、低目付領域３２の後端縁は、弱く押圧され、小さく変形する。このとき、低目付領域３２は、目付が低く、身体の形状に沿うように変形し、身体にフィットする。また、低目付領域３２は、捻じれる方向に変形し、長手方向の位置ずれを抑制しつつ、会陰部に対して隆起する。加えて、低目付領域３２が、高目付領域３１に隣接しており、幅方向の位置がずれ難い。そのため、低目付領域３２が、身体の幅方向の中心に向かって隆起し、会陰部に対してフィットし、体液の漏れを抑制できる。
【００６８】
高目付領域３１の幅方向の長さが低目付領域３２の幅方向の長さよりも長いため、脚によって高目付領域３１が幅方向の内側に押圧された場合であっても、排泄口に対向して高目付領域３１を配置し続けることができ、高目付領域３１によって体液を吸収し続けることができる。一方、低目付領域３２の幅方向の長さが高目付領域３１の幅方向の長さよりも短いため、着用者側に隆起する領域が狭い幅となり、着用者の会陰部に対してフィットし易く、体液の伝え漏れを抑制できる。
【００６９】
また、脚によって押圧される力は、高目付領域３１及び股下域Ｓ１の長手圧搾部８１に掛かる。長手圧搾部８１が第１側部領域３３と第２側部領域３４とに跨がっているため、脚による力が長手圧搾部８１を介して後側域Ｓ３に伝達し、後側域の低目付領域に伝わる。低目付領域３２の幅方向の両側には、長手圧搾領域Ｒ８１と後側圧搾領域Ｒ８２が設けられている。また、長手圧搾領域Ｒ８１と後側圧搾領域Ｒ８２が面形状となり易く構成されている。低目付領域３２は、長手圧搾領域Ｒ８１と後側圧搾領域Ｒ８２を基点にして着用者側に対して隆起する。
【００７０】
長手圧搾領域Ｒ８１の前側部分と後側部分を比較すると、前側部分は、股下域側に位置するため、脚による力が強く掛かり、後側部分は、脚による力が弱くかかる。このとき、長手圧搾領域Ｒ８１の幅方向の長さが後方に向かうにつれて長いため、長手圧搾領域Ｒ８１の後側部分が低目付領域３２に対して変形の起点となり易く、長手圧搾領域Ｒ８１の後側部分間の低目付領域３２は、弱い力によっても隆起する。また、長手圧搾領域Ｒ８１の後方には、後側圧搾領域Ｒ８２が低目付領域３２を挟んで配置されている。後側圧搾領域Ｒ８２には、長手圧搾領域Ｒ８１と比較して、脚による力が弱くかかる。このとき、後側圧搾領域Ｒ８２間の距離Ｗ８２は、長手圧搾領域Ｒ８１間の距離Ｗ８１よりも短いため、後側圧搾領域Ｒ８２は、弱い力によって隆起し易くなる。低目付領域３２が前後方向に延びており、低目付領域の前側部分に強い力が掛かるが、低目付領域３２の長手方向の全域が隆起し易くなり、低目付領域３２の長手方向の全域が会陰部及び臀部に対してフィットし、体液の漏れを抑制できる。
【００７１】
長手圧搾領域Ｒ８１及び後側圧搾領域Ｒ８２に点状圧搾部８３が設けられているため、長手圧搾領域Ｒ８１と低目付領域３２の剛性差、及び後側圧搾領域Ｒ８２と低目付領域３２との剛性差がより顕著になる。脚による力がかかった際に、低目付領域３２が長手圧搾領域Ｒ８１及び後側圧搾領域Ｒ８２を基点に隆起し易くなる。よって、会陰部に対するフィット性がより向上し、体液の漏れを抑制できる。
【００７２】
（４）その他の実施形態
吸収性物品は、幅方向に延び、吸収性物品を折り畳むための折り線を有し、折り線は、長手圧搾領域と離間してよい。長手圧搾領域と折り線とが離間しているため、長手圧搾領域に折り線による折り癖が形成されない。長手圧搾領域の形状を維持し、長手圧搾領域を基点に低目付領域が隆起し易くなる。また、長手圧搾領域は、折り線のうち、着用者に対して離れる方向の折り癖を形成する折り線（谷折りの折り線）と離間してよい。長手圧搾領域に着用者と離れる方向に変形する折り癖が形成されず、長手圧搾領域は、低目付領域の変形の基点として機能し易い。よって、会陰部に対するフィット性が向上し、体液の漏れを抑制できる。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７４】
１        ：吸収性物品
１０      ：肌面シート
２０      ：非肌面シート
３０      ：吸収体
３１      ：高目付領域
３２      ：低目付領域
３３      ：第１側部領域
３４      ：第２側部領域
６１      ：本体接合部
６２      ：ウイング粘着領域
６３      ：フラップ粘着領域
８１      ：長手圧搾部
８２      ：後側圧搾部
８３      ：点状圧搾部
Ｌ        ：長手方向
Ｗ        ：幅方向
Ｔ        ：厚み方向
Ｓ１      ：股下域
Ｓ２      ：前側域
Ｓ３      ：後側域
【図１】
2017213213.tif 000003
【図２】
2017213213.tif 000004
【図３】
2017213213.tif 000005
【図４】
2017213213.tif 000006
【図５】
2017213213.tif 000007
【図６】
2017213213.tif 000008
【図７】
2017213213.tif 000009
【図８】
2017213213.tif 000010
【図９】
2017213213.tif 000011